(57)【要約】      （修正有）【課題】ハーネス配置溝をパッド表面に開口でき、ハーネス配置溝に着座センサーをハーネスに接続でき、トリム・カバーにハーネス配置溝、ハーネス引出し穴の開口形状の露呈を防止できる着座センサー付きシート・パッドを提供する。【解決手段】ハーネス配置溝１３がパッド表面１１の両側の一方に縦方向に適宜に伸びてパッド表面１１に開口され、ハーネス引出し穴１４がハーネス配置溝１３の両端の一方に開口されてパッド裏面に伸び、ハーネス配置溝１３からパッド裏面にハーネス１８を引き出し可能にし、ハーネス配置溝１３からパッド裏面にハーネス１８を引き出し可能にし、感圧型シート状着座センサー１５がハーネス配置溝１３に隣接されてパッド表面１１上に横方向に伸びて張り付けられ、ハーネス配置溝１３にてハーネス１８に電気的に接続され、不織布テープ１７がハーネス配置溝１３およびハーネス引出し穴１４を覆ってパッド表面１１に接着される。【選択図】図１
2013086569.tif 000002
【特許請求の範囲】
【請求項１】
ハーネス配置溝が、パッド表面の両側の一方に縦方向に適宜に伸びてそのパッド表面に開口され、ハーネス引出し穴が、そのハーネス配置溝の両端の一方に開口されてパッド裏面に伸び、そのパッド裏面に開口されてそのハーネス配置溝からそのパッド裏面にハーネスを引き出し可能にし、感圧型シート状着座センサーが、そのハーネス配置溝に隣接されてそのパッド表面上に横方向に伸びてそのパッド表面に張り付けられ、そして、そのハーネス配置溝においてそのハーネスに電気的に接続され、そして、不織布テープが、そのハーネス配置溝およびハーネス引出し穴を覆ってそのパッド表面に接着されるところの自動車シートに用いる着座センサー付きシート・パッド。
【請求項２】
ハーネス配置溝が、クッション・パッド表面の両側の一方に縦方向に適宜に伸びてそのクッション・パッド表面に開口され、ハーネス引出し穴が、そのハーネス配置溝の両端の一方に開口されてクッション・パッド裏面に伸び、そのクッション・パッド裏面に開口されてそのハーネス配置溝からそのクッション・パッド裏面にハーネスを引き出し可能にし、感圧型シート状着座センサーが、そのハーネス配置溝に隣接されてそのクッション・パッド表面上に横方向に伸びてそのクッション・パッド表面に張り付けられ、そして、そのハーネス配置溝においてそのハーネスに電気的に接続され、そして、不織布テープが、そのハーネス配置溝およびハーネス引出し穴を覆ってそのクッション・パッド表面に接着されるところの自動車シートに用いる着座センサー付きシート・クッション・パッド。
【請求項３】
ハーネス配置溝が、バック・パッド表面の両側の一方に縦方向に適宜に伸びてそのバック・パッド表面に開口され、ハーネス引出し穴が、そのハーネス配置溝の両端の一方に開口されてバック・パッド裏面に伸び、そのバック・パッド裏面に開口されてそのハーネス配置溝からそのバック・パッド裏面にハーネスを引き出し可能にし、感圧型シート状着座センサーが、そのハーネス配置溝に隣接されてそのバック・パッド表面上に横方向に伸びてそのバック・パッド表面に張り付けられ、そして、そのハーネス配置溝においてそのハーネスに電気的に接続され、そして、不織布テープが、そのハーネス配置溝およびハーネス引出し穴を覆ってそのバック・パッド表面に接着されるところの自動車シートに用いる着座センサー付きシート・バック・パッド。
【請求項４】
その感圧型シート状着座センサーが、感圧型フィルム状着座センサーである請求項１ないし３の何れかに記載の自動車シートに用いる着座センサー付きシート・パッド。
【発明の詳細な説明】
【技術分野】
【０００１】
この発明は、自動車シートに用いる着座センサー付きシート・パッに関し、詳細には、エア・バッグ装置を装備する自動車シートやシート・ヒーターを組み込む自動車シートなどに用いる着座センサー付きシート・パッドに関する。
【背景技術】
【０００２】
その種のエア・バッグ装置を装備する自動車シートのシート・クッションでクッション・パッドの表面中央に縦溝を開口し、そのクッション・パッド表面に感圧型シート状着座センサーを張り付け、その縦溝からセンサー・リード線を引き出してそのクッション・パッドにトリム・カバーを被せて固定し、そして、コネクターを用いてそのセンサー・リード線を外部ハーネスに電気的に接続する構造が採られるので、そのトリム・カバーにへこみなどが生じてシート・クッションの外観に悪影響を及ぼす恐れがあった。
また、シート・ヒーターを組み込む自動車シートでも同様にトリム・カバーにへこみなどが生じてシートの外観に悪影響を及ぼす恐れがあった。
【先行技術文献】
【特許文献】
【０００３】
特開２００６−２０６０２４号公報
【発明の概要】
【発明が解決しようとする課題】
【０００４】
この発明の課題は、ハーネス配置溝をパッド表面に開口できてそのハーネス配置溝において着座センサーをハーネスに電気的に接続でき、そして、トリム・カバーにそのハーネス配置溝、ハーネス引出し穴の開口形状の露呈を防止でき、そのトリム・カバーのへこみなどを防止できてそのハーネスにも影響されずにシートの外観を保つところの自動車シートに用いる着座センサー付きシート・パッドを提供するにある。
【課題を解決するための手段】
【０００５】
この発明の自動車シートに用いる着座センサー付きシート・パッドは、ハーネス配置溝が、パッド表面の両側の一方に縦方向に適宜に伸びてそのパッド表面に開口され、ハーネス引出し穴が、そのハーネス配置溝の両端の一方に開口されてパッド裏面に伸び、そのパッド裏面に開口されてそのハーネス配置溝からそのパッド裏面にハーネスを引き出し可能にし、感圧型シート状着座センサーが、そのハーネス配置溝に隣接されてそのパッド表面上に横方向に伸びてそのパッド表面に張り付けられ、そして、そのハーネス配置溝においてそのハーネスに電気的に接続され、そして、不織布テープが、そのハーネス配置溝およびハーネス引出し穴を覆ってそのパッド表面に接着される。
【０００６】
また、この発明の自動車シートに用いる着座センサー付きシート・クッション・パッドは、ハーネス配置溝が、クッション・パッド表面の両側の一方に縦方向に適宜に伸びてそのクッション・パッド表面に開口され、ハーネス引出し穴が、そのハーネス配置溝の両端の一方に開口されてクッション・パッド裏面に伸び、そのクッション・パッド裏面に開口されてそのハーネス配置溝からそのクッション・パッド裏面にハーネスを引き出し可能にし、感圧型シート状着座センサーが、そのハーネス配置溝に隣接されてそのクッション・パッド表面上に横方向に伸びてそのクッション・パッド表面に張り付けられ、そして、そのハーネス配置溝においてそのハーネスに電気的に接続され、そして、不織布テープが、そのハーネス配置溝およびハーネス引出し穴を覆ってそのクッション・パッド表面に接着される。
【０００７】
さらに、この発明の自動車シートに用いる着座センサー付きシート・バック・パッドは、ハーネス配置溝が、バック・パッド表面の両側の一方に縦方向に適宜に伸びてそのバック・パッド表面に開口され、ハーネス引出し穴が、そのハーネス配置溝の両端の一方に開口されてバック・パッド裏面に伸び、そのバック・パッド裏面に開口されてそのハーネス配置溝からそのバック・パッド裏面にハーネスを引き出し可能にし、感圧型シート状着座センサーが、そのハーネス配置溝に隣接されてそのバック・パッド表面上に横方向に伸びてそのバック・パッド表面に張り付けられ、そして、そのハーネス配置溝においてそのハーネスに電気的に接続され、そして、不織布テープが、そのハーネス配置溝およびハーネス引出し穴を覆ってそのバック・パッド表面に接着される。
【発明の効果】
【０００８】
この発明の自動車シートに用いる着座センサー付きシート・パッドでは、不織付テープが、ハーネス配置溝およびハーネス引出し穴を覆ってパッド表面に接着されるので、そのハーネス配置溝がそのパッド表面に開口でき、しかも、そのハーネス配置溝がハーネスの厚さ、太さや配置長さに対応されてそのパッド表面に開口でき、そして、そのハーネス配置溝において着座センサーがハーネスに電気的に接続可能になってその接続作業が簡単でその作業性が向上され、トリム・カバーへのそのハーネス配置溝、ハーネス引出し穴の開口形状の露呈が未然に防止され、その不織布テープによってそのトリム・カバーのへこみなどが防止され、そして、そのハーネスにも影響されずにシートの外観が保たれる。
【図面の簡単な説明】
【０００９】
【図１】乗用車のエア・バッグ・システムを装備したパセンジャ・シートに活用されるところのこの発明の自動車シートに用いる着座センサー付きシート・パッドの具体例を示した分解斜視図である。
【図２】そのシート・パッドをシート・バック・パッドに示した正面図である。
【図３】図２の３−３線に沿って示した断面図である。
【発明を実施するための形態】
【００１０】
この発明の自動車シートに用いる着座センサー付きシート・パッドは、ハーネス配置溝が、パッド表面の両側の一方に縦方向に適宜に伸びてそのパッド表面に開口され、ハーネス引出し穴が、そのハーネス配置溝の両端の一方に開口されてパッド裏面に伸び、そのパッド裏面に開口されてそのハーネス配置溝からそのパッド裏面にハーネスを引き出し可能にし、感圧型シート状着座センサーが、そのハーネス配置溝に隣接されてそのパッド表面上に横方向に伸びてそのパッド表面に張り付けられ、そして、そのハーネス配置溝においてそのハーネスに電気的に接続され、そして、不織布テープが、そのハーネス配置溝およびハーネス引出し穴を覆ってそのパッド表面に接着される。
【００１１】
また、この発明の自動車シートに用いる着座センサー付きシート・クッション・パッドは、ハーネス配置溝が、クッション・パッド表面の両側の一方に縦方向に適宜に伸びてそのクッション・パッド表面に開口され、ハーネス引出し穴が、そのハーネス配置溝の両端の一方に開口されてクッション・パッド裏面に伸び、そのクッション・パッド裏面に開口されてそのハーネス配置溝からそのクッション・パッド裏面にハーネスを引き出し可能にし、感圧型シート状着座センサーが、そのハーネス配置溝に隣接されてそのクッション・パッド表面上に横方向に伸びてそのクッション・パッド表面に張り付けられ、そして、そのハーネス配置溝においてそのハーネスに電気的に接続され、そして、不織布テープが、そのハーネス配置溝およびハーネス引出し穴を覆ってそのクッション・パッド表面に接着される。
【００１２】
さらに、この発明の自動車シートに用いる着座センサー付きシート・バック・パッドは
、ハーネス配置溝が、バック・パッド表面の両側の一方に縦方向に適宜に伸びてそのバック・パッド表面に開口され、ハーネス引出し穴が、そのハーネス配置溝の両端の一方に開口されてバック・パッド裏面に伸び、そのバック・パッド裏面に開口されてそのハーネス配置溝からそのバック・パッド裏面にハーネスを引き出し可能にし、感圧型シート状着座センサーが、そのハーネス配置溝に隣接されてそのバック・パッド表面上に横方向に伸びてそのバック・パッド表面に張り付けられ、そして、そのハーネス配置溝においてそのハーネスに電気的に接続され、そして、不織布テープが、そのハーネス配置溝およびハーネス引出し穴を覆ってそのバック・パッド表面に接着される。
【００１３】
そして、そのシート・パッド、すなわち、そのシート・クッション・パッドおよびシート・バック・パッドにおいてその感圧型シート状着座センサーは、感圧型フィルム状着座センサーであるのが望ましい。
【実施例１】
【００１４】
以下、特定されて図示された具体例に基づいて、この発明の自動車シートに用いる着座センサー付きシート・パッドを説明するに、図1ないし図３は、乗用車のエア・バッグ・
システム（図示せず）を装備したパセンジャ・シートに活用されるところのこの発明の自動車シートに用いる着座センサー付きシート・パッドの具体例１０を示し、そして、この場合のその着座センサー付きシート・パッド１０は着座センサー付きシート・バック・パッドに具体化され、また、図示されないが着座センサー付きシート・クッション・パッドにもその着座センサー付きシート・バック・パッド同様に具体化される。
【００１５】
この着座センサー付きシート・バック・パッド１０では、ハーネス配置溝１３が、パッド背当て面であるバック・パッド表面１１の両側の一方、すなわち、右側の上方部分に縦方向に適宜に伸びてそのパッド背当て面１１に開口され、また、ハーネス引出し穴１４が、そのハーネス配置溝１３の両端の一方、すなわち、上端に開口されてパッド背裏面であるバック・パッド裏面１２に伸び、そのパッド背裏面１２に開口されてそのハーネス配置溝１３からそのパッド背裏面１２にハーネス１８を引き出し可能にし、さらに、感圧型シート状着座センサー１５が、それのハーネス接続端１６をそのハーネス配置溝１３に隣接させてそのパッド背当て面１１の上方部分の左右側間でそのパッド背当て面１１上に横方向に伸びて接着剤でそのパッド背当て面１１に張り付けられ、そして、そのハーネス配置溝１３においてそのハーネス接続端１６をそのハーネス１８に電気的に接続し、またさらに、不織布テープ１７が、そのハーネス配置溝１３およびハーネス引出し穴１４を覆って接着剤でそのパッド背当て面１１に接着される。
【００１６】
そのハーネス配置溝１３は、そのハーネス１８の厚さ、太さなどに合わせ、そして、そのハーネス１８をその着座センサー１５に電気的に接続される接続作業性を考慮して開口幅、深さが設定され、そのハーネス引出し穴１４もそのハーネス１８に合わせ、そして、そのハーネス１８の引出し作業性を考慮して開口の大きさが設定され、そして、それらはそのシート・バック・パッド１０が型において発泡性樹脂液から発泡成形される際に成形される。
【００１７】
その感圧型シート状着座センサー１５は、感圧型フィルム状着座センサーを用い、そして、この感圧型フィルム状センサー１５は、そのハーネス接続端１６をそのハーネス配置溝１３の側縁に合わせてそのパッド背当て面１１に貼付される。勿論、この感圧型フィルム状着座センサー１５は、そのハーネス１８でそのエア・バッグ・システムのセンサー回路に電気的に接続される。
【００１８】
その不敷布テープ１７は、そのハーネス配置溝１３およびハーネス引出し穴１４を覆う幅、長さに設定されて所定の厚さの不敷布から切断され、そして、その着座センサー１５
をそのハーネス１８に電気的に接続した後にそのハーネス配置溝１３およびハーネス引出し穴１４を覆ってそのパッド背当て面１１に貼付される。
【００１９】
したがって、この着座センサー付きシート・バック・パッド１０では、その不敷布テープ１７が、そのハーネス配置溝１３およびハーネス引出し穴１４を覆ってそのパッド背当て面１１に貼付されるので、そのハーネス配置溝１３がそのパッド背当て面１１に開口させることが可能になり、しかも、そのハーネス配置溝１３がそのハーネス１８の厚さ、太さや配置長さに対応させてそのパッド背当て面１１に開口でき、そして、そのハーネス配置溝１３においてその着座センサー１５がそのハーネス１８に電気的に接続可能になってその接続作業性が簡単でその作業性が向上され、トリム・カバーへのそのハーネス配置溝１３、ハーネス引出し穴１４の開口形状の露呈が未然に防止され、その不敷布テープ１７によってそのトリム・カバーのへこみなどが防止され、そして、そのハーネス１８にも影響されずにシート外観の見映えが保たれる。
【００２０】
その着座センサー付きシート・クッション・パッド（図示せず）も、ハーネス配置溝（図示せず）が、パッド座面であるクッション・パッド表面（図示せず）の両側の一方、すなわち、右側に縦方向に適宜に伸びてそのパッド座面に開口され、また、ハーネス引出し穴（図示せず）が、そのハーネス配置溝の両側の一方、すなわち、前端に開口されてクッション・パッド裏面（図示せず）に伸び、そのクッション・パッド裏面に開口されてそのハーネス配置溝からそのクッション・パッド裏面にハーネス（図示せず）を引き出し可能にし、さらに、感圧型シート状着座センサー（図示せず）が、それのハーネス接続端（図示せず）をそのハーネス配置溝に隣接させてそのパッド座面の左右側間でそのパッド座面上に横方向に伸びて接着剤でそのパッド座面に張り付けられ、そして、そのハーネス配置溝においてそのハーネス接続端をそのハーネスに電気的に接続し、またさらに、不織布テープ（図示せず）が、そのハーネス配置溝およびハーネス引出し穴を覆って接着剤でそのパッド座面に接着されるところに具体化されるが、この着座センサー付きシート・クッション・パッドでは、着座状態の乗員のでん部に合わせてその感圧型シート状着座センサー、そのハーネス配置溝、およびそのハーネス引出し穴が位置決めされ、その不織布テープもそのハーネス配置溝およびハーネス引出し穴に合わせてテープ幅、長さが設定される。そして、その感圧型シート状着座センサーも感圧型フィルム状着座センサーを用いる。
【００２１】
先に図面を参照して説明されたところのこの発明の特定された具体例から明らかであるように、この発明の属する技術の分野における通常の知識を有する者にとって、この発明の内容は、その発明の性質（ｎａｔｕｒｅ）および本質（ｓｕｂｓｔａｎｃｅ）に由来し、そして、それらを内在させると客観的に認められる別の態様に容易に具体化される。勿論、この発明の内容は、その発明の課題に相応し（ｂｅ  ｃｏｍｍｅｎｓｕｒａｔｅ  ｗｉｔｈ）、そして、その発明の成立に必須である。
【産業上の利用可能性】
【００２２】
上述から理解されるように、この発明の自動車シートに用いる着座センサー付きシート・パッドでは、ハーネス配置溝が、パッド表面の両側の一方に縦方向に適宜に伸びてそのパッド表面に開口され、ハーネス引出し穴が、そのハーネス配置溝の両端の一方に開口されてパッド裏面に伸び、そのパッド裏面に開口されてそのハーネス配置溝からそのパッド裏面にハーネスを引き出し可能にし、感圧型シート状着座センサーが、そのハーネス配置溝に隣接されてそのパッド表面上に横方向に伸びてそのパッド表面に張り付けられ、そして、そのハーネス配置溝においてそのハーネスに電気的に接続され、そして、不織布テープが、そのハーネス配置溝およびハーネス引出し穴を覆ってそのパッド表面に接着されるので、この発明の自動車シートに用いる着座センサー付きシート・パッドでは、その不織付テープが、そのハーネス配置溝およびハーネス引出し穴を覆ってそのパッド表面に接着されることによって、そのハーネス配置溝がそのパッド表面に開口でき、しかも、そのハ
ーネス配置溝がハーネスの厚さ、太さや配置長さに対応されてそのパッド表面に開口でき、そして、そのハーネス配置溝においてその着座センサーがそのハーネスに電気的に接続可能になってその接続作業が簡単でその作業性が向上され、トリム・カバーへのそのハーネス配置溝、ハーネス引出し穴の開口形状の露呈が未然に防止され、その不織布テープによってそのトリム・カバーのへこみなどが防止され、そして、そのハーネスにも影響されずにシート外観の見映えが保たれ、その結果、自動車シートにとって非常に有用で実用的である。
【符号の説明】
【００２３】
１０  着座センサー付きシート・パッド／着座センサー付きシート・バック・パッド
１１  バック・パッド表面／パッド背当て面
１２  バック・パッド裏面／パッド背裏面
１３  ハーネス配置溝
１４  ハーネス引出し穴
１５  感圧型シート状着座センサー／感圧型フィルム状着座センサー
１６  ハーネス接続端
１７  不織布テープ
１８  ハーネス
【図１】
2013086569.tif 000003
【図２】
2013086569.tif 000004
【図３】
2013086569.tif 000005